(57)【要約】【課題】スリーブが軸筒に固定されていなかったので、組み込みに手間がかかり、軸筒の内部構造が複雑となると共にノック動作が不安定であった。【解決手段】シャーペンシルにおいて、軸筒１とこの軸筒１内に設けられた芯タンク４内の芯を繰り出す芯繰り出し機構とからなるシャープペンシルにおいて、この芯繰り出し機構を構成するスリーブ７が係止片６４によって軸筒１に固設されてなり、かつスリーブ７は抱持片６ｂを備えており、この抱持片６ｂによって芯タンク４を抱持・案内してなる。【選択図】        図１
2004188860.tif 000002
【特許請求の範囲】
【請求項１】
軸筒とこの軸筒内に設けられ芯タンク内の芯を繰り出す芯繰り出し機構とからなるシャープペンシルにおいて、この芯繰り出し機構を構成するスリーブが係止手段によって軸筒に固設されてなることを特徴とするシャープペンシル。
【請求項２】
前記スリーブが芯タンクを摺動自在に抱持する抱持手段を有してなる請求項１記載のシャープペンシル。
【請求項３】
前記スリーブは前部に内フランジを有し、かつ後部に軸筒固定用の係止手段を有してなる請求項１記載のシャープペンシル。
【請求項４】
前記係止手段は、スリーブの後端部に形成された係止突起と割り溝とから構成されてなる請求項１記載のシャープペンシル。
【請求項５】
軸筒と、操作手段によってこの軸筒内を摺動する芯タンクと、この芯タンクの先部に直接または間接に連結された芯繰り出し用のチャックと、このチャックに遊嵌されたチャックリングと、係止手段によって軸筒に係止されかつチャックとの間にチャックスプリングが設けられたスリーブと、チャックリングが当接する段部を内壁に有する先具とからなることを特徴とするシャープペンシル。
【請求項６】
前記スリーブは筒状本体からなり、この筒状本体の前端からやや後方の内周にチャックスプリングの前端が当接する内フランジが形成され、この内フランジの基部から前端縁に向かって下降する傾斜が形成され、上記スリーブの筒状本体の後端部には等間隔で外方に折り曲げられ、筒状本体後端より後方に延出された係止片が設けられ、この係止片の内側は基部から後方に向かって上昇する第一斜面部と、この第一斜面部から後端に至る平坦部を有し、他方この平坦部の後端には角部を有し、かつこの角部から後方に向かって下降する第二斜面部がそれぞれ形成され、この第二斜面部の後端は軸線と直角の後端面を有し、かつ上記係止片の両側には割り溝がそれぞれ形成されてなる請求項５記載のシャープペンシル。
【請求項７】
前記スリーブは、前記係止片の両側に形成された割り溝の間に更に芯タンクを摺動可能に抱持する抱持片を備えてなる請求項６記載のシャープペンシル。
【請求項８】
前記芯タンクの後方には、ノック機能を兼用する消しゴム繰り出し機構を備えてなる請求項７記載のシャープペンシル。
【発明の詳細な説明】
【０００１】
【発明の属する技術分野】
この発明は、芯繰り出し機構を構成するスリーブを軸筒に係止・固定せしめたシャープペンシルに関する。
【０００２】
【従来の技術】
従来、シャープペンシルにおいては、チャックリングの移動範囲の前端を規制する係止部は、軸筒または先具の内周に形成した段部によって形成されるため、一定した芯送り量を得ようとすれば、これら軸筒または先具の加工精度を高くして、これら軸筒または先具に対する芯繰り出し機構の取付位置を、正確に規制しなければならないという不都合があった。（例えば特許文献１参照）
【０００３】
さらに、スリーブが芯繰り出し機構に固定されていなかったので、この機構をセットするために軸筒後方より挿入する際に、方向性を無視できず、簡単に組み込むことができなかったので、これによって軸筒の内部構造が非常に複雑となった。（例えば特許文献１参照）
【０００４】
またさらに、スリーブの後部には、軸筒の固定用および芯タンクの案内用手段を備えていなかったので、短い距離で軸筒への固定を確実に行えず、常時芯タンクの先部をスリーブ内に抱持していないため、チャックスプリングが確実に作動しなく、ノック操作が安定しなかった。（例えば特許文献１参照）
【０００５】
この出願の発明に関連する先行技術文献情報としては次のものがある。
【特許文献１】
実公昭５８−３９９１３号公報（第３欄第９行−第２４行、第５欄第１４行−第２１行、第１図）
【０００６】
【発明が解決しようとする課題】
そこで、この発明は上記のような従来の不都合を解消したものであって、スリーブがメカニズム固定用であるので、メカニズムのセットを軸筒後方より挿入する際に、方向性を無視でき、簡単に組み込むことができ、これによって軸の内部構造を非常に簡単にすることができるシャープペンシルを提供することを目的とする。
【０００７】
さらに、この発明によれば、スリーブの後部には、軸筒の固定用および芯タン案内用手段が形成されているので短い距離で軸筒への固定を確実に行えると共に、常時芯タンクをスリーブ内に抱持することができるため、チャックスプリングが確実に働くのでノック作動が安定したシャープペンシルを提供することを目的とする。
【０００８】
【課題を解決するための手段】
上記目的を達成するために、この発明のシャープペンシルは、軸筒とこの軸筒内に設けられ芯タンク内の芯を繰り出す芯繰り出し機構とからなるシャープペンシルにおいて、この芯繰り出し機構を構成するスリーブが係止手段によって軸筒に固設されてなる。
【０００９】
さらに、この発明のシャープペンシルは、軸筒と、操作手段によってこの軸筒内を摺動する芯タンクと、この芯タンクの先部に直接または間接に連結された芯繰り出し用のチャックと、このチャックに遊嵌されたチャックリングと、係止手段によって軸筒に係止されかつチャックとの間にチャックスプリングが設けられたスリーブと、チャックリングが当接する段部を内壁に有する先具とからなる。
【００１０】
【発明の実施の形態】
以下、添付図面を用いてこの発明の実施の形態によるシャープペンシルについて詳述する。
図１は、この発明の実施の形態によるシャープペンシルである後端ノック式シャープペンシル構造を示すものである。図において、軸筒１は前軸２と後軸３とからなり、前軸２と後軸３は例えば螺合等によって互いに取り外し可能に構成されている。なお、前軸２の後部外周には、後軸３の前端面と後述するグリップカバー１４の後端面との間に位置する段差のあるフランジ２１を備えている。
【００１１】
さらに、軸筒１の内部には筆記芯が充填された芯タンク４が摺動自在に設けられている。この芯タンク４の先端取付部内には、筆記芯の繰り出し用チャック５が圧入・固設されている。そして、このチャック５の先端のチャック部には、チャックリング５１が遊嵌されている。また、この芯タンク４の後端部は、後述する消しゴム繰り出し機構がセットされる大径の受け部４１が形成されている。そしてこの受け部４１の外壁部には後軸３に係止する係止突条４２が設けられている。
【００１２】
さらに、チャック５の外側には先端からやや離間した部位に内フランジ６１を備えたスリーブ６が設けられている。そして、このスリーブ６内には後端が芯タンク４と当接したチャックスプリング７が装着され、チャック３および芯タンク４を常時後方に付勢している。また、チャック３の前方には筆記芯を保持するためのパッキン８が、軸筒１に螺合により設けられた先具９内を摺動自在に設けられている。
【００１３】
他方、芯タンク２の後端部には、回転操作式の消しゴム繰り出し機構が設けられている。この消しゴム繰り出し機構は、ユニット化されているので、筆記芯の充填のためにシャープペンシル本体から一体的に取り外しが可能となっている。より詳しく述べると、この機構は内周にガイド用の螺旋溝１１１が形成されたノック本体１１がノック中軸１０と共に取り外し可能に取り付けられている。そして、このノック本体１１の内部には消しゴムが装着されるスライダ１２が、螺旋溝１１１に係合して設けられ、回転操作によって、ノック本体１１内を上方に摺動して消しゴムを繰り出すよう構成されている。
【００１４】
なお、図中符号１３は、Ｏリング状の取付部１３１を備えたクリップ１３である。さらに、前軸２の把持部は、通常はゴムまたは軟質合成樹脂からなるグリップカバー１４に被覆されている。
【００１５】
次に、この発明の特徴であるスリーブについて、図３〜図６を用いて詳細に説明する。スリーブ６は、筒状本体６１からなり、この筒状本体６１の前端からやや後方の内周にチャックスプリング７の前端が当接する内フランジ６２（図４）が形成されている。そして、この内フランジ６２の基部から前端縁に向かって下降する傾斜面６３（図４）が形成されている。この傾斜面６３は、ガイド手段としてチャックリングの５１の作動をスムーズにしている。
【００１６】
他方、スリーブ６の筒状本体６１の後端部には９０°の等間隔で外方に折り曲げられ、筒状本体６１後端より後方に延出された４つの係止手段として係止片６４がそれぞれ設けられている。なお、これらの係止片６４の内側はその基部から後方に向かって上昇する第一斜面部６５と、この第一斜面部６５の後端には平坦部６６を経て角部６７が形成されている。
【００１７】
また、係止片６４の後部には後方に向かって下降する第二斜面部６８が形成されている。さらに、この第二斜面部６８の後端は軸線と直角の後端面６９を有している。そして、これら係止片６４の両側には割り溝６ａがそれぞれ形成されいる。これら割り溝６ａは、スリーブ６を前軸２内に組み込む時、係止片６４が内方に撓んで組込みを容易にしている。さらに、これら割り溝６ａの間には、芯タンク４の小径の先部を摺動可能に抱持・案内する抱持手段として抱持片６ｂが形成されている。
【００１８】
このようなシャープペンシルは、スリーブ６内に後方からチャックリング５１及びチャックスプリング７を挿入し、次いでスリーブ６を前方から挿入して、その後端においてチャック５と芯タンク４を連結することによって芯繰り出し機構を組み立てる。そして、この芯繰り出し機構を前軸２内に後方から落とし込み、先具８と後軸３を取り付けるという簡単な作業で組み立てることができる。
【００１９】
特に、スリーブ６の取り付けについて述べると、スリーブ６の前部内周の内フランジ６１は、その前面部がチャック５の先端に形成された大径のチャック部とチャックリング５１を受けるストッパの役割を果たしている。一方、内フランジ６１の背面部は、チャックリング５１の先端を受けるストッパの役割を果たしている。さらに、スリーブ６の後部は４つの係止片６４を有しており、これらの係止片６４は、前軸２の前部内周に形成された環状リブ２１に角部６７が当接・係止されている。なお、環状リブ２１は、図示のように前部を直立壁としておけば、スリーブ６における係止片６４の角部６７との係止が面接触となり確実なものとなる。
【００２０】
そして、このようなスリーブ６の先端面は先具９の内周段部９１に当接・係止されるので、結局スリーブ６は、先具９と前軸２との間に固定される。特に、スリーブ６の係止片６２には、角部６７が形成されているので、この角部６７が前軸２の環状リブ２１に係止して、スリーブ６は確実に固設される。この様な状態で、スリーブ６は、常時芯タンク４の先部を抱持片６ｂによって摺動自在に抱持・案内して、スムーズなノック作用を可能としている。
【００２１】
以下、上記発明の実施の形態によるシャープペンシルの動作について説明する。まず、通常の筆記を行う場合には、ノック本体１０の後端をノックすると、チャックスプリング７に抗してスライダ１２を介して芯タンク４が前進せしめられる。そこで、この芯タンク４に連結されたチャック５も前進せしめられる。このチャック５の前進過程で、チャック５に遊嵌されたチャックリング５１が先具９の内壁の係止部に当接してチャック５から外れ、チャック５が開放される。その結果、筆記芯は自重で落下・前進せしめられる。
【００２２】
なお、ノックを終えると、チャックスプリング７の付勢力によってチャック５が後退する。この後退過程において、チャックリング５１がチャック５に嵌められて、チャック５を閉成するので筆記芯が保持されて筆記が可能となる。
【００２３】
また、芯タンク４内の芯がなくなった時には、軸筒１からユニット化された消しゴム繰り出し機構を抜き取り、芯タンク４内に筆記芯を容易に装填することができる。なお、必要に応じて、回転操作によりシャープペンシルの後端から消しゴムを容易に繰り出すことが可能である。
【００２４】
なお、上記発明の実施の形態によるシャープペンシルは、後端ノック式のものについて説明したが、この発明はサイドノック式等にも適用があり、ノックの形式は問わないものである。さらに、この発明は、芯タンクを消しゴム繰り出し機構を介すことなく、直接ノックするものにも適用できることは勿論である。
【００２５】
【発明の効果】
この発明は、上記した通りの構成であるので、スリーブがメカニズム固定用であるので、メカニズムのセットを軸筒後方より挿入する際に、方向性を無視でき、簡単に組み込むことができ、これによって軸の内部構造が非常に簡単に作成できる効果がある。
【００２６】
さらに、この発明によれば、スリーブの後部には、軸筒の固定用爪と芯タンク押え片が形成されているので短い距離で軸筒への固定を確実に行えると共に、常時芯タンクをスリーブ内に抱え込んでおけるため、チャックスプリングが確実に働くのでノック作動が安定する効果もある。
【００２７】
またさらに、この発明によれば、スリーブが係止部を有しているので、軸筒に対する芯保持機構の取付位置は、芯送り量に影響しないという効果を奏するものである。
【図面の簡単な説明】
【図１】この発明の実施の形態によるシャープペンシルの縦断面図である。
【図２】図１のシャープペンシルの正面図である。
【図３】図１のシャープペンシルのスリーブの拡大正面図である。
【図４】図３のスリーブの縦断面図である。
【図５】図３のスリーブの底面図である。
【図６】図３のスリーブの平面図である。
【符号の説明】
１  軸筒
２  前軸
２１  環状リブ
３  後軸
４  芯タンク
４１  受け部
４２  係止突条
５  チャック
５１  チャックリング
６  スリーブ
６１  筒状本体
６２  内フランジ
６３  傾斜面
６４  係止片（係止手段）
６５  第一斜面部
６６  平坦部
６７  角部
６８  第二斜面部
６９  後端面
６ａ  割り溝
６ｂ  抱持片（抱持手段）
７  チャックスプリング
８  パッキン
９  先具
９１  内周段部
１０  ノック中軸
１１  ノック本体
１１１  螺旋溝
１２  スライダ
１３  クリップ
１３１  取付部
１４  グリップカバー
【図１】
2004188860.tif 000003
【図２】
2004188860.tif 000004
【図３】
2004188860.tif 000005
【図４】
2004188860.tif 000006
【図５】
2004188860.tif 000007
【図６】
2004188860.tif 000008